(57)【特許請求の範囲】
【請求項１】
天板、前面板、背面板、一対の側面板、及び底面板で構成されて直方体状に形成され、
前記背面板は、前記前面板より長く、当該背面板の端部は前記天板から突出しており、
前記天板において前記背面板と対向する辺と、前記背面板の前記端部側の辺とを連結する連結片をさらに備え、
前記連結片は、前記背面板において前記天板から突出している部分に重ね合わされており、
少なくとも一方の前記側面板は、前記前面板、背面板、天板、及び底面板のいずれかに連結されるとともに、扉部として開閉可能に構成されており、
前記連結片は、前記扉部が閉じられているときは前記背面板に重ね合わされる一方、前記扉部が開いたときには前記背面板から離間するように揺動可能となっている、包装箱。
【請求項２】
前記前面板は、前記天板及び底面板の少なくとも一方に対し、取り外し可能に連結されている、請求項１に記載の包装箱。
【請求項３】
前記背面板の突出部分には、吊り掛け用の貫通孔が形成されている、請求項１また２に記載の包装箱。
【発明の詳細な説明】
【技術分野】
【０００１】
本発明は、吊り掛けられた状態で製品を収納する包装箱に関する。
【背景技術】
【０００２】
製品を収納する包装箱には、フックに吊り下げられて陳列されるものがあり、雑貨、薬品、電気製品など種々の製品の陳列に用いられている。このような包装箱としては、例えば、特許文献１に記載のものがある。この文献に記載の包装箱は、天板、前面板、背面板、一対の側面板、及び底面板で構成されて直方体状に形成されている。背面板は、前面板より長く形成されており、背面板の上部が天板から突出している。このように突出している部分には貫通孔が形成されており、この貫通孔を陳列台のフックに通して、吊り掛けるようになっている。
【特許文献１】特開２００５−３０６４１６号公報
【発明の開示】
【発明が解決しようとする課題】
【０００３】
ところで、上記包装箱は、天板が開くようになっており、天板を開いた状態で、包装箱から製品を取り出すようになっている。しかしながら、製品が包装箱の中に隙間なく収納されている場合には、天板が開いただけでは、製品を取り出すことは難しい。すなわち、指を包装箱内に入れてつまみ出すことが困難であるため、例えば、天板を下側に向けて製品を落とすように取り出さなければならなかった。したがって、製品が隙間なく収納されている場合でも、簡単に取り出すことができる包装箱が要望されていた。しかし、これは、必ずしも吊り掛けて陳列するタイプの包装箱だけの問題ではない。
【０００４】
本発明は、上記問題を解決するためになされたものであり、製品の取り出しが簡単な包装箱を提供することを目的とする。
【課題を解決するための手段】
【０００５】
本発明は、上記問題を解決するためになされたものであり、  天板、前面板、背面板、一対の側面板、及び底面板で構成されて直方体状に形成され、前記背面板は、前記前面板より長く、当該背面板の端部は前記天板から突出しており、前記天板において前記背面板と対向する辺と、前記背面板の前記端部側の辺とを連結する連結片をさらに備え、前記連結片は、前記背面板において前記天板から突出している部分に重ね合わされており、少なくとも一方の前記側面板は、前記前面板、背面板、天板、及び底面板のいずれかに連結されるとともに、扉部として開閉可能に構成されており、前記連結片は、前記扉部が閉じられているときは前記背面板に重ね合わされる一方、前記扉部が開いたときには前記背面板から離間するように揺動可能となっている。
【０００６】
この構成によれば、少なくとも一方の側面板が扉部を構成しているため、これを開いて収納されている製品を取り出すようになっている。このとき、連結片を、背面板から離れるように揺動すると、これに伴って、天板と背面板とが離間するため、前面板と背面板とは離間する。その結果、側面板によって覆われていた開口が側面板の幅よりも広がるので、内部に収納されている製品を取り出しやすくなる。したがって、例えば、広がった開口に指を挿入して製品をつまみ出すこともできるため、製品を容易に取り出すことができる。
【０００７】
上記包装箱において、前面板は、天板及び底面板の少なくとも一方に対し、取り外し可能に連結することができる。このように、前面板を天板及び底面板から取り外すと、上記開口がさらに広がるので、製品を確実に取り出すことができる。
【０００８】
また、背面板の突出部分には、吊り掛け用の貫通孔を形成すると、吊り掛けタイプの包装箱として用いることができ、フックなどを貫通孔に挿通することで吊り掛けて陳列することができる。
【発明の効果】
【０００９】
本発明によれば、収納された製品を簡単に取り出すことができる。
【発明を実施するための最良の形態】
【００１０】
以下、本発明に係る包装箱の一実施形態について図面を参照しつつ説明する。図１は本実施形態に係る包装箱の斜視図である。ここでは、写真用の印画紙（製品）を収納する包装材を例にして説明する。
【００１１】
図１に示すように、本実施形態に係る包装箱は、所定の形状をなす厚紙、つまりブランクシートを折り曲げて組み立てられたものであり、厚みの小さい直方体状の本体部１と、その上端部に設けられた矩形状の吊り掛け部２とを備えている。本体部１は、右側の側面が扉部１０として開くように構成されており、開いた側面から印画紙を出し入れするようになっている。吊り掛け部２は、中央に貫通孔２１が形成されており、フックなどの棒状部材を挿入可能となっている。すなわち、この包装箱は、棒状部材に吊り掛けられて陳列することができる。
【００１２】
図２は、この包装箱の組立前のブランクシートの展開図である。ここでは、同図の上下方向を「長さ」方向、左右方向を「幅」方向と称することがある。同図に示すように、このブランクシートは、直方体を形成する矩形状の前面板１１、背面板１２、天板１３、底面板１４、及び一対の側面板１５、１６を有しており、その他、組立時に必要なカバー片３１、折り込み片４１、４２，４３、係止片５１，５２、５３、差し込み片６１，６２、及び連結片７が設けられている。以下、詳細に説明する。
【００１３】
背面板１２は、縦長に形成され、その両側に幅の小さい右側面板１５及び左側面板１６がそれぞれ連結されている。そして、これら側面板１５，１６の幅が包装箱の厚みになっている。また、背面板１２は、各側面板１５，１６よりも縦に長くなっており、各側面板１５，１６と下端を揃える一方、上端部は側面板１５，１６より上方に突出し、この突出部分１２１が上述した吊り掛け部２を構成している。右側面板１５には、背面板１２と反対側の辺に、同じ長さの矩形状のカバー片３１が連結されており、図１に示すように、このカバー片３１が前面板１１の右側の端部及びその近傍を覆っている。すなわち、右側面１５板及びカバー片３１がこの包装箱の扉部１０を構成している。また、カバー片３１の右側の辺には、このカバー片３１を前面板１１に固定するための長さの短い扉用係止片５１が連結されている。
【００１４】
一方、左側面板１６には背面板１２と反対側の辺に、同じ長さを有する前面板１１が連結されている。この前面板１１には、上述した扉用係止片５１が係止する円弧状の切り込み１１１が上下方向に延びるように形成されている。また、この前面板１１の上下の辺には、後述する天板１３及び底面板１４とそれぞれ連結するための矩形状の係止片、つまり上係止片５２及び下係止片５３が連結されている。各係止片５２，５３の幅は前面板１１の幅よりも小さくなっている。また、前面板１１の左側の辺、つまり左側面板１６とは反対側の辺には同じ長さを有する扉用折り込み片４１が連結されている。この扉用折り込み片４１は側面板１５，１６とほぼ同じ幅を有している。
【００１５】
続いて、底面板１４について説明する。底面板１４は、背面板１２の下側の辺に連結されており、上下方向の長さは、側面板１５，１６の幅と同じである。そして底面板１４の両側には、側面板１５，１６と同じ幅の下差し込み片６１がそれぞれ連結されている。また、底面板１４の下側の辺には、ほぼ同じ形状の下折り込み片４２が連結されており、この連結部分に上述した下係止片が係止する切り込み１４１が形成されている。
【００１６】
背面板１２の上側の辺には、連結片７が連結されている。この連結片７は、背面板１２における前面板１１からの突出部分１２１と同じ大きさになっており、この突出部分１２１と重ね合わされて、吊り掛け部２を構成している。そして、背面板１２の突出部分１２１及び連結片７には、フックを挿通する貫通孔１２２，７１が形成されており、これらは連結片７を折り曲げて背面板１２と重ね合わされたときに、一致するように形成されている。連結片７の上側の辺には、天板１３が連結されている。天板１３は、底面板１４と同じ大きさであり、その両側に一対の上差し込み片６２が連結されるとともに、上側の辺に上折り込み片４３が連結されている。これら上折り込み片４３及び上差し込み片６２は、上述した底面板１４に連結されているものと同じ形状を有しており、天板１３と上折り込み片４３との連結部分には、上係止片５２が係止する切り込み１３１が形成されている。なお、上述した各部材の連結部分は、折り曲げ可能となっている。
【００１７】
次に、上記のようなブランクシートの組立方法について図３を参照しつつ説明する。まず、図３（ａ）に示すように、底面板１４、下差し込み片６１、及び下折り込み片４２をそれぞれ連結部分に沿って約９０度に折り曲げる。一方、連結片７は、背面板１２と重なるように連結部分を折り曲げる。また、連結片７に連結されている天板１３、上差し込み片６２、及び上折り込み片４３はそれぞれ連結部分に沿って約９０度に折り曲げる。続いて、図３（ｂ）に示すように、左側面板１６、前面板１１、扉用折り込み片４１、上係止片５２、及び下係止片５３をそれぞれ連結部分に沿って約９０度に折り曲げ、前面板１１と背面板１２とが平行になるようにする。このとき、上係止片５２及び下係止片５３を、それぞれ天板１３及び底面板１４の切り込み１３１，１４１に差し込んで固定する。
【００１８】
この状態で、包装箱の右側面には、開口８が形成されるので、図３（ｃ）に示すように、この開口８から印画紙Ａを挿入する。最後に、右側面板１５、及びカバー片１３をそれぞれ連結部分に沿って約９０度に折り曲げるとともに、扉用係止片５１を前面板１１の切り込み１１１に差し込んで固定すると、図１に示すように、扉部１０が閉じて印画紙が収納される。こうして完成した包装箱は、吊り掛け部２の貫通孔２１にフックなどを通すことで、陳列される。
【００１９】
以上のように構成された包装箱は、次のような利点がある。これについて、図４を参照しつつ説明する。図４は、右側面側から見た包装箱の斜視図である。印画紙Ａを取り出す際には、扉用係止片５１を前面板１１の切り込み１１１から取り外した後、カバー片３１及び右側面板１５を開く。このとき、前面板１１と背面板１２とが離間するように押し広げると、図４に示すように、連結片７が背面板１２から離間するように揺動し、両者の間に隙間が形成される。これによって前面板１１と背面板１２とがさらに離間し、印画紙Ａを取り出しやすくなる。これは、天板１３が背面板１２と直接連結されているのではなく、連結片７を介して連結されているためであり、連結片７が背面板１２から離間する分だけ天板１３も背面板１２から離間するため、これによって前面板１１と背面板１２との隙間がさらに広がることに起因する。したがって、本実施形態によれば、上記のように構成することで、印画紙Ａを取り出す開口８を大きくできるため、印画紙Ａの取り出しを容易に行うことができる。
【００２０】
以上、本発明の一実施形態について説明したが、本発明はこれに限定されるものではなく、その趣旨を逸脱しない限りにおいて種々の変更が可能である。例えば、上記実施形態では、前面板１１と、天板１３及び底面板１４とを、係止片５２、５３及び折り込み片４２，４３とで連結しているが、連結方法は特には限定されず、係止片を用いた他の連結方法のほか、接着剤、テープなど種々の方法で連結することができる。また、背面板１２と連結片７とが折り曲げ可能に連結され、重ね合わされた状態から揺動して離間するように構成されるとともに、少なくとも一方の側面板１５，１６が扉部１０として開くように構成されていればよい。したがって、その他の部分は、包装箱として製品を収納できるような構成を有していれば、本発明の効果を得ることができる。
【００２１】
また、扉部１０を構成する側面板１５，１６は、天板１３、背面板１２、前面板１１、及び底面板１４のいずれかに連結されていればよい。また、連結片７は、必ずしも背面板１２の突出部分１２１の前面に重ね合わされるように形成されていなくてもよい。すなわち、天板１３と背面板１２とを連結するのであれば、幅は天板１３や背面板１２と同じでなくてもよく、それよりも狭くてもよい。
【００２２】
また、上記実施形態では、説明の便宜上、上下方向の短い面を前面板１１、長い面を背面板１２で構成しているが、前面板１１が必ずしも包装箱の前面である必要はなく、背面板１２側に適宜印刷を施して陳列時には前面を向くようにしてもよい。
【図面の簡単な説明】
【００２３】
【図１】本実施形態に係る包装箱の斜視図である。
【図２】図１の包装箱を形成するブランクシートの展開図である。
【図３】図２のブランクシートの組み立て図である。
【図４】図１の包装箱を開くときの側面側からの斜視図である。
【符号の説明】
【００２４】
１１  前面板
１２  背面板
１３  天板
１４  底面板
７  連結板
【図１】
0005164578.tif 000002
【図２】
0005164578.tif 000003
【図３】
0005164578.tif 000004
【図４】
0005164578.tif 000005